(57)【要約】【課題】間仕切りの厚さの半分値を算出する必要がなく、正確にマークを付けること等ができる墨出し定規を提供する。【解決手段】間仕切りパネルの設置箇所のセンター位置を示した直線（通り芯墨）に位置合わせするための２か所の位置１１ａ，１１ｂを示した中心位置合わせ部１１と、上記２か所の位置１１ａ，１１ｂを結ぶ直線について線対称で上記間仕切りパネルの異なる厚さに対応して形成されており、上記２か所の位置１１ａ，１１ｂを結ぶ直線と平行とされた複数の平行端１２ａを有した第１平行端形成部１２と、を備える。【選択図】図１
2018044374.tif 000002
【特許請求の範囲】
【請求項１】
間仕切りの設置箇所のセンター位置を示した直線に位置合わせするための２か所の位置を示した中心位置合わせ部と、上記２か所の位置を結ぶ直線について線対称で上記間仕切りの異なる厚さに対応して形成されており、上記２か所の位置を結ぶ直線と平行とされた複数の平行端を有した平行端形成部と、を備えることを特徴とする墨出し定規。
【請求項２】
請求項１に記載の墨出し定規において、上記平行端形成部が当該墨出し定規の外方に突出して形成されていることを特徴とする墨出し定規。
【請求項３】
位置基準となる既設建物部材からボード厚みに対応する距離離れた位置に上記ボードを支持する下地を配置するときの墨出しに用いることができる墨出し定規であって、上記既設建物部材に接触させる接触基準縁と、上記接触基準縁から離間して上記ボードの異なる厚さに対応して形成されており、上記接触基準縁と平行とされた複数の平行端を有した平行端形成部と、を備えることを特徴とする墨出し定規。
【請求項４】
請求項３に記載の墨出し定規において、上記既設建物部材に対して上記ボードが左側配置となる場合および上記既設建物部材に対して上記ボードが右側配置となる場合の両方に対応するように、上記接触基準縁および上記平行端形成部の組が２組形成されていることを特徴とする墨出し定規。
【請求項５】
請求項１〜請求項４のいずれか１項に記載の墨出し定規において、当該墨出し定規が板状体からなるとともに、この板状体から突出して指で摘まめる突出部が設けられていることを特徴とする墨出し定規。
【発明の詳細な説明】
【技術分野】
【０００１】
この発明は、間仕切り等を設置するときに用いることができる墨出し定規に関する。
【背景技術】
【０００２】
従来、建物内に間仕切りパネルを設置するときには、間仕切りパネルのセンターとなる箇所に通り芯墨を床面（土間面）に描き、厚さ６５ｍｍの間仕切りパネルを設置するのであれば、上記通り芯墨の両側のそれぞれ３２．５ｍｍの床面位置に差金を用いてマークを付ける作業が行われる。
【０００３】
また、特許文献１には、使い勝手を向上させるために曲がるように作製された差金が開示されている。
【先行技術文献】
【特許文献】
【０００４】
【特許文献１】特開２０００−１９３４０１号公報
【発明の概要】
【発明が解決しようとする課題】
【０００５】
しかしながら、上記差金を用いた間仕切りパネル設置の墨出し作業では、厚さ６５ｍｍの半分値を算出し、上記のように通り芯墨から３２．５ｍｍの位置にマークを付けることになるが、このときに計算ミスをし、誤った位置にマークを付けてしまうおそれがある。また、差金に替えて巻き尺（コンベックス）を用いる場合には、その先端引っ掛け爪が床面（土間面）から浮き上がるために正確な位置にマークを付けることができないという問題点もあった。
【０００６】
また、位置の基準となる既設建物部材（例えば、階段ささら、建具枠または額縁）からボード（例えば、プラスターボード）厚みに対応する距離離れた位置に、上記ボードを支持する下地（例えば、軽鉄）を配置する場合において、簡単に墨出しできる治具は無かった。
【０００７】
この発明は、上記の事情に鑑み、間仕切りの厚さの半分値を算出する必要がなく、正確にマークを付けることができる墨出し定規を提供する。また、位置基準となる既設建物部材からボード厚みに対応する距離離れた位置に上記ボードを支持する下地を配置するときの墨出しが簡単且つ正確に行える墨出し定規を提供する。
【課題を解決するための手段】
【０００８】
この発明の墨出し定規は、上記の課題を解決するために、間仕切りの設置箇所のセンター位置を示した直線に位置合わせするための２か所の位置を示した中心位置合わせ部と、上記２か所の位置を結ぶ直線について線対称で上記間仕切りの異なる厚さに対応して形成されており、上記２か所の位置を結ぶ直線と平行とされた複数の平行端を有した平行端形成部と、を備えることを特徴とする。
【０００９】
上記の構成であれば、間仕切りのセンターとなる箇所の床面に描かれた通り芯墨（直線）に、上記中心位置合わせ部で示されている２か所の位置を合わせ、この合わせた状態で、用いる間仕切りの厚さに対応した上記平行端を用いてマークを付ければよい。したがって、間仕切りの厚さの半分値を算出する必要がなく、また、コンベックスを用いる場合に生じるメモリ部の浮きは生じないので、正確にマークを付けることができる。
【００１０】
上記平行端形成部が当該墨出し定規の外方に突出して形成されていてもよい。
【００１１】
また、この発明の墨出し定規は、位置基準となる既設建物部材からボード厚みに対応する距離離れた位置に上記ボードを支持する下地を配置するときの墨出しに用いることができる墨出し定規であって、上記既設建物部材に接触させる接触基準縁と、上記接触基準縁から離間して上記ボードの異なる厚さに対応して形成されており、上記接触基準縁と平行とされた複数の平行端を有した平行端形成部と、を備えることを特徴とする。
【００１２】
上記の構成であれば、位置基準となる既設建物部材（例えば、階段ささら、建具枠または額縁）からボード（例えば、プラスターボード）厚みに対応する距離離れた位置に、上記ボードを支持する下地（例えば、軽鉄）を配置する場合には、上記接触基準縁を上記既設建物部材に接触させた状態で、用いるボードの厚さに対応した上記平行端を用いてマークを付ければよい。したがって、このような位置基準となる既設建物部材からボード厚みに対応する距離離れた位置に上記ボードを支持する下地を配置するときの墨出しが簡単且つ正確に行えることになる。
【００１３】
上記既設建物部材に対して上記ボードが左側配置となる場合および上記既設建物部材に対して上記ボードが右側配置となる場合の両方に対応するように、上記接触基準縁および上記平行端形成部の組が２組形成されていてもよい。
【００１４】
また、当該墨出し定規が板状体からなるとともに、この板状体から突出して指で摘まめる突出部が設けられていてもよい。
【発明の効果】
【００１５】
本発明であれば、間仕切りの厚さの半分値を算出する必要がなく、正確にマークを付けることができる。また、位置基準となる既設建物部材からボード厚みに対応する距離離れた位置に上記ボードを支持する下地を配置するときの墨出しが簡単且つ正確に行えるという効果を奏する。
【図面の簡単な説明】
【００１６】
【図１】実施形態を示す図であって、同図（Ａ）は墨出し定規の平面図であり、同図（Ｂ）は墨出し定規の正面図である。
【図２】図１の墨出し定規の使用形態を示した説明図である。
【図３】図１の墨出し定規の他の使用形態を示した説明図である。
【発明を実施するための形態】
【００１７】
以下、この発明の一態様に係る実施形態を添付図面に基づいて説明する。図１（Ａ）および図１（Ｂ）に示すように、この実施形態の墨出し定規１は、例えば、厚さ１．６ｍｍ程度の一般構造用圧延鋼材からなり、横幅は１００ｍｍに設定されている。
【００１８】
上記墨出し定規１の横幅方向中心には、中心位置合わせ部１１が形成されている。この中心位置合わせ部１１には、間仕切りとしての間仕切りパネルの設置箇所のセンター位置を示した直線（通り芯墨）に位置合わせするための２か所の位置１１ａ，１１ｂが示されている。上側の位置１１ａは、縦方向に形成された直線状の切り欠きからなり、下側の位置１１ｂは、上記位置１１ａから遠ざかる方向に先鋭となる先鋭部からなっている。
【００１９】
そして、上記墨出し定規１には、第１平行端形成部１２が当該墨出し定規１の外方に突出して形成されている。上記第１平行端形成部１２は、上記２か所の位置１１ａ，１１ｂを結ぶ直線（図では、１点鎖線で示している。）と平行とされた複数の平行端１２ａからなっている。上記平行端１２ａは、上記２か所の位置１１ａ，１１ｂを結ぶ直線について線対称であって、上記間仕切りパネルの異なる厚さに対応して形成されたものである。
【００２０】
この例では、上記複数の平行端１２ａとして、上記間仕切りパネルの厚さの５０ｍｍに対応した半分値の平行端１２ａと、６５ｍｍに対応した半分値の平行端１２ａと、７５ｍｍに対応した半分値の平行端１２ａと、９０ｍｍに対応した半分値の平行端１２ａと、１００ｍｍに対応した半分値の平行端１２ａと、が形成されている。この１００ｍｍに対応した半分値の平行端１２ａは、当該墨出し定規１の横幅の縁に一致している。そして、上記間仕切りパネルの厚さが薄いものに対応する平行端１２ａほど上側に形成されている。また、各平行端１２ａの近傍位置には、上記間仕切りパネルの厚さを示す数値が三角マークとともに表記されている。この表記は印刷でもよいし、刻印でもよい。
【００２１】
さらに、この実施形態では、上記墨出し定規１は、位置基準となる既設建物部材からボード厚みに対応する距離離れた位置に上記ボードを支持する下地を配置するときの墨出しに用いることができるようになっている。
【００２２】
具体的には、上記墨出し定規１は、上記既設建物部材に接触させる接触基準縁１３と、第２平行端形成部１４と、を備えている。
【００２３】
上記接触基準縁１３は、この例では、当該墨出し定規１の横幅の縁に一致し、また、上記１００ｍｍに対応した半分値の平行端１２ａに一致している。
【００２４】
上記第２平行端形成部１４は、上記接触基準縁１３と平行とされた複数の平行端１４ａを有している。上記複数の平行端１４ａは、上記接触基準縁１３から離間し且つ上記ボードの異なる厚さに対応して形成されたものである。
【００２５】
この例では、上記複数の平行端１４ａとして、厚さが９．５ｍｍのボードに対応した平行端１４ａと、厚さが１２．５ｍｍのボードに対応した平行端１４ａと、厚さが９．５ｍｍのボードと１２．５ｍｍのボードとの２枚の合計に対応した平行端１４ａと、厚さが１２．５ｍｍのボードと１２．５ｍｍのボードとの２枚の合計に対応した平行端１４ａと、が形成されている。厚さの厚いボードに対応する平行端１４ａほど上側に形成されている。また、上記ボードの厚さを示す数値が各平行端１４ａの近傍位置において表記されている。この表記は印刷でもよいし、刻印でもよい。
【００２６】
さらに、上記既設建物部材に対して上記ボードが左側配置となる場合および上記既設建物部材に対して上記ボードが右側配置となる場合の両方に対応するように、上記接触基準縁１３と上記第２平行端形成部１４との組が２組形成されており、また、上記２組における第２平行端形成部１４は、当該墨出し定規１の下側に形成された凹箇所において互いに向かい合うように形成されている。
【００２７】
また、上記墨出し定規１の略中心位置には、その板体の上面から突出して指で摘まめる突出部１５が設けられている。この突出部１５は、上記墨出し定規１に溶接等によって固定されている。また、上記墨出し定規１には、上記突出部１５の上側となる位置に例えば円形の開口部１６が形成されている。この開口部１６には例えばカラビナを装着することができ、このカラナビを用いて衣服の道具掛け部に掛けておくことができる。
【００２８】
上記墨出し定規１であれば、図２に示すように、間仕切りパネルのセンターとなる箇所の床面に描かれた通り芯墨（直線）Ｌに、上記中心位置合わせ部１１で示されている２か所の位置１１ａ，１１ｂを合わせ、この合わせた状態で、用いる間仕切りパネルの厚さに対応した上記平行端１２ａを用いて筆記具２でマークを付ければよい。したがって、間仕切りパネルの厚さの半分値を算出する必要がなく、また、コンベックスを用いる場合に生じるメモリ部の浮きは生じないので、正確にマークを付けることができる。
【００２９】
また、上記墨出し定規１であれば、図３に示すように、位置の基準となる既設建物部材（例えば、階段ささら、建具枠または額縁）からボード（例えば、プラスターボード）厚みに対応する距離離れた位置に、当該ボードが設置されていない段階で、当該ボードを支持する下地（例えば、軽鉄）を配置する場合に、上記接触基準縁１３を上記既設建物部材に接触させた状態で、用いるボードの厚さ（例では、１２．５ｍｍ）に対応した上記平行端１４ａを用いて壁面等に筆記具２でマークを付ければよい。したがって、例えば、階段ささら、軽鉄、プラスターボードの順序で設置が行われる施工において、上記階段ささらからプラスターボード厚みに対応する距離離れた位置に上記プラスターボードを支持する軽鉄を配置するときの墨出しが簡単且つ正確に行えることになる。
【００３０】
また、上記の例であれば、左右位置に上記接触基準縁１３および上記第２平行端形成部１４の組が２組形成されているので、左右のマーキングに対応することができる。
【００３１】
また、指で摘まめる突出部１５が設けられているので、当該墨出し定規１の設置や取り外しの作業性が向上する。なお、突出部１５は当該墨出し定規１の板体と別体のもので形成することに限らず、当該墨出し定規１の板体の一部をプレスで突出させて形成することもできる。また、上記開口部１６が無くてカラビナが装着できなくても、差金と異なり、当該墨出し定規１を作業着のポケットに入れて持ち運ぶことが可能である。
【００３２】
また、この実施例では、１つの墨出し定規１に、上記中心位置合わせ部１１と上記第１平行端形成部１２による墨出し機能部と、上記接触基準縁１３と上記第２平行端形成部１４とによる墨出し機能部を併せ設けたが、これに限らず、それぞれの墨出し機能部だけを備える構造としてもよいものである。また、この実施例では、上記墨出し定規１の凸箇所に形成した段差部を上記第１平行端形成部１２とし、凹箇所に形成した段差部を上記第２平行端形成部１４としたが、この関係を入れ替えることも可能である。
【００３３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３４】
１      ：墨出し定規
１１    ：中心位置合わせ部
１２    ：第１平行端形成部
１２ａ  ：平行端
１３    ：接触基準縁
１４    ：第２平行端形成部
１４ａ  ：平行端
１５    ：突出部
１６    ：開口部
【図１】
2018044374.tif 000003
【図２】
2018044374.tif 000004
【図３】
2018044374.tif 000005